(57)【要約】  病原菌の繁殖を抑えつつ養液を循環させ、養液の成分変化を防止しながら植物の効果的な生育促進を常に発揮できる養液栽培システムと製品のコンパクト化を図った除菌浄化用水処理装置を提供することを目的とする。  液肥である培養液を入れる養液タンクと栽培ベッドとの間を循環させる養液栽培システムであって、前記養液タンクと栽培ベッドとの間にこの栽培ベッドを流れた培養液のみを除菌浄化する水処理装置を設け、この水処理装置は、前記培養液に、オゾンを供給するオゾン供給機能と紫外線を照射する紫外線照射機能と光触媒を作用させる光触媒作用機能とを有するユニットから構成されていることを特徴とする養液栽培システムである。
2011043326.tif 000002
【特許請求の範囲】
【請求項１】
液肥である培養液を入れる養液タンクと栽培ベッドとの間を循環させる養液栽培システムであって、前記養液タンクと栽培ベッドとの間にこの栽培ベッドを流れた培養液のみを除菌浄化する水処理装置を設け、この水処理装置は、前記培養液に、オゾンを供給するオゾン供給機能と紫外線を照射する紫外線照射機能と光触媒を作用させる光触媒作用機能とを有するユニットから構成されていることを特徴とする養液栽培システム。
【請求項２】
前記養液タンクの上流側に前記栽培ベッドを流れた培養液を入れる廃液タンクを設け、この廃液タンクに前記除菌浄化ユニットを接続した請求項１に記載の養液栽培システム。
【請求項３】
前記除菌浄化ユニットに、この除菌浄化ユニットで除菌浄化した前記培養液を前記廃液タンクに直接供給する流路を分岐して設けた請求項２に記載の養液栽培システム。
【請求項４】
放電式のオゾナイザーと紫外線ランプを内蔵した反応槽とを別体構造とし、前記オゾナイザーで生成したオゾンと処理水を混合したオゾン水を空気抜き弁付きエアセパレータにより排オゾンガスを抜いて処理用オゾン水とし、この処理用オゾン水を前記反応槽に通水することを特徴とする除菌浄化用水処理装置。
【請求項５】
前記反応槽の流路内に光触媒を設けた請求項４に記載の除菌浄化用水処理装置。
【請求項６】
前記エアセパレータの空気抜き弁の気体抜き口に掃除棒を外方より操作可能とした請求項４又は５に記載の除菌浄化用水処理装置。
【発明の詳細な説明】
【技術分野】
【０００１】
本発明は、植物を養液栽培するための養液栽培システムと水処理装置に関し、特に、水耕栽培に適した養液栽培システムと除菌浄化用水処理装置に関する。
【背景技術】
【０００２】
従来、この種の養液栽培システムには、例えば、図１４の養液循環システム１が提案されている。この養液循環システム１は、養液容器２と植物を栽培する栽培床３とを備え、養液容器２には、補給水パイプ４と、適宜の養液原液を蓄積した蓄積タンク６の原液供給パイプ７とが接続されている。養液容器２と栽培床３とは、供給パイプ８と戻りパイプ９とにより接続されている。この養液循環システム１では、養液容器２内の養液１０は、供給パイプ８を介して栽培床３に供給され、戻りパイプ９を介して養液容器２内に蓄積される。【０００３】
図１５における養液循環システム１１は、図１４の養液栽培システム１に浄化装置１２を設けたものであり、養液容器２と栽培床３とが供給パイプ８と戻りパイプ９とにより接続され、養液容器２に浄化装置１２が接続されている。この養液循環システム１１では、養液容器２内の養液１０が供給パイプ８を介して栽培床３に供給され、戻りパイプ９を介して養液容器２内に蓄積される。浄化装置１２は、養液容器２内の養液１０全体を浄化するようになっている。【０００４】
特許文献１における養液栽培方法における養液栽培装置は、栽培床に排液タンクが接続され、この排液タンクに除菌装置が接続されている。除菌装置内には中空糸膜モジュールが設けられ、この中空糸膜モジュールにより排液中の菌や不純物が除去される。一方、栽培床にはオゾン殺菌装置を介して流れる原水の流路も繋がっており、このオゾン殺菌装置によりオゾン処理した原水が栽培床に供給される。【０００５】
また、特許文献２には、オゾンによる水耕栽培用殺菌装置が開示されている。この殺菌装置は、植物の栽培チャンネルに循環供給するための培養液を貯留する培養液タンクと、栽培チャンネルに供給するオゾン水を製造するオゾン水製造タンクと、オゾン発生器とを備えている。この構成により、栽培チャンネルからの培養液が培養液タンクに蓄積され、この培養液タンク内の培養液がオゾン処理される。そして、培養液タンク内の培養液と、オゾン水製造タンク内のオゾン水とが栽培チャンネルの栽培植物に交互に供給される。
【先行技術文献】
【特許文献】
【０００６】
【特許文献１】特開２００１−２９９１１６号公報
【特許文献２】特開２００２−１９１２４４号公報
【発明の概要】
【発明が解決しようとする課題】
【０００７】
しかしながら、図１４における養液循環システム１は、養液１０を浄化する機能を有していないため、仮に、栽培床３に病気が蔓延した場合には、養液容器２内の養液１０に病原菌が繁殖する可能性がある。この場合、養液１０に補給する補給水としては通常地下水や上水が利用されるため病原菌は少なくなっているものの、養液１０が循環することによって栽培床３に潜む病原菌がシステム全体に広がって植物の発育が遅くなったり植物が全滅するおそれがある。【０００８】
図１５に示す養液循環システム１１は、浄化装置１２を設けることで養液１０を浄化して病気の蔓延を防ぐようにはしているものの、この養液循環システム１１では養液容器２に浄化装置１２が接続され、養液容器２内の養液１０全体を浄化装置１２で浄化処理しているために補給された養液の成分が変化する可能性がある。また、浄化装置１２によりオゾン処理や紫外線処理を実施していることから、養液１０中の鉄分やＭｎ成分が酸化して沈殿し、養液全体の物性が変化することがあるため、養液１０内に鉄分やＭｎ成分を定期的に補給する必要も生じていた。【０００９】
一方、特許文献１では、オゾン殺菌装置のみによりオゾン処理したとき、酸性化しやすくなってｐＨ調節が難しくなり、植物のオゾン障害が発生するおそれがあり、また、この酸性化により、配管系統が腐食したり植物が育成不良になることもあった。中空糸膜モジュールにより排水の除菌や不純物除去をおこなう場合、有機物のぬめり等による目詰まりを防ぐために頻繁に洗浄を実施する必要があった。【００１０】
特許文献２の水耕栽培用殺菌装置についても、オゾン供給のみで殺菌をおこなっているため、培養液が酸性化しやすくなってｐＨ管理が難しくなっていた。その上、オゾン濃度が濃いため、同文献１と同様に、オゾン障害が発生するおそれがある。【００１１】
本発明は、上記した実情に鑑み、鋭意検討の結果開発に至ったものであり、その目的とするところは、病原菌の繁殖を抑えつつ養液を循環させ、養液の成分変化を防止しながら植物の効果的な生育促進を常に発揮できる養液栽培システムと製品のコンパクト化を図った除菌浄化用水処理装置を提供することにある。
【課題を解決するための手段】
【００１２】
上記の目的を達成するため、請求項１に係る発明は、液肥である培養液を入れる養液タンクと栽培ベッドとの間を循環させる養液栽培システムであって、養液タンクと栽培ベッドとの間にこの栽培ベッドを流れた培養液のみを除菌浄化する水処理装置を設け、この水処理装置は、培養液に、オゾンを供給するオゾン供給機能と紫外線を照射する紫外線照射機能と光触媒を作用させる光触媒作用機能とを有するユニットである養液栽培システムである。【００１３】
請求項２に係る発明は、養液タンクの上流側に栽培ベッドを流れた培養液を入れる廃液タンクを設け、この廃液タンクに除菌浄化ユニットを接続した養液栽培システムである。【００１４】
請求項３に係る発明は、除菌浄化ユニットに、この除菌浄化ユニットで除菌浄化した培養液を廃液タンクに直接供給する流路を分岐して設けた養液栽培システムである。【００１５】
請求項４に係る発明は、放電式のオゾナイザーと紫外線ランプを内蔵した反応槽とを別体構造とし、前記オゾナイザーで生成したオゾンと処理水を混合したオゾン水を空気抜き弁付きエアセパレータにより排オゾンガスを抜いて処理用オゾン水とし、この処理用オゾン水を前記反応槽に通水する除菌浄化用水処理装置である。【００１６】
請求項５に係る発明は、反応槽の流路内に光触媒を設けた除菌浄化用水処理装置である。【００１７】
請求項６に係る発明は、エアセパレータの空気抜き弁の気体抜き口に掃除棒を外方より操作可能とした除菌浄化用水処理装置である。
【発明の効果】
【００１８】
請求項１に係る発明によると、オゾン供給機能と紫外線照射機能と光触媒作用機能とを有する水処理装置で培養液を除菌浄化することにより、これらの相乗効果によって強い殺菌作用と有機物分解作用とを発揮して病原菌の繁殖を抑えて養液を循環させることができる。このとき、栽培ベッドを流れた培養液のみを除菌浄化できるので、養液の成分変化を防止して植物の効果的な生育促進に常に寄与できる。更には、システム全体の省スペース化も可能であり、ランニングコストも抑えることができるため経済的にも優れている。【００１９】
特に、本発明は、促進酸化型の水処理装置であるから、オゾンを適度に分解することで、常時利用できる効果があり、これにより、除菌効果だけでなく、溶存酸素を付加する機能も加わり、植物の生長促進効果が発揮される。【００２０】
請求項２に係る発明によると、栽培ベッドを流れた培養液を廃液タンク内に蓄積させて除菌浄化し、この培養液を養液タンクに流しているので、養液タンク内の培養液を栽培ベッドに流した状態を常に維持することができ、培養液による栽培効果を高めることができる。【００２１】
請求項３に係る発明によると、除菌浄化ユニットにより除菌浄化させた培養液を直接養液タンクに送ることができるため、一旦廃液タンクに蓄積してから除菌浄化する場合と比較して養液タンクに供給するまでのタイムラグが少なく、動作開始からすぐに除菌浄化した培養液を養液タンクに供給することが可能になる。【００２２】
請求項４又は５に係る発明によると、オゾナイザーと反応槽を別体構造とすることで、次のような効果を発揮する。すなわち、流体中に有機物が多いときは、大量のオゾンが必要になるが、このようなときにオゾナイザーを追加するだけで、オゾンを容易に２倍、３倍にでき、逆に、流体中の残留オゾンが多くなると、反応槽（紫外線ランプ）を追加すると促進酸化が進み、残留するオゾンを分解することで、より確実な流体処理ができる。【００２３】
また、オゾナイザーの電極部は、強力な酸化にさらされるため、他の機器よりも寿命が短くなるが、本発明は分離されているので、電極部等の交換が極めて容易になる。【００２４】
装置を一体で形成されると、特に高容量又は高出力の製品になり、石英ガラスの微少隙間の生成がより困難になるばかりか、２重の高価な石英ガラスが必要になるが、本発明装置のように分離すると、紫外線透過部のみ石英ガラスにするだけで良い。【００２５】
さらに、本発明装置は分離しているので、同量のオゾンを発生されるためのガラス管（例えば、ほう珪酸ガラス）が小さくでき、かつ、高圧電極も金属加工で対応できるため、寸法の安定性が格段に向上できるので、常に安定したオゾンが生成される。【００２６】
請求項６に係る発明によると、カルシウム分の詰まりをなくし、詰まりの予防を簡単に行うことができる。
【図面の簡単な説明】
【００２７】
【図１】本発明における養液栽培システムの第１実施形態を示した模式図である。
【図２】除菌浄化用水処理装置の一例を示した概略断面図である。
【図３】図２におけるオゾナイザーの概略断面図である。
【図４】図２における紫外線・光触媒ユニットの概略断面図である。
【図５】本発明における養液栽培システムの第２実施形態を示した模式図である。
【図６】本発明における養液栽培システムの第３実施形態を示した模式図である。
【図７】本発明における水処理装置にｐＨ調整器を設けた例を示す模式図である。
【図８】水処理装置の他例を示した概略断面図である。
【図９】エジェクタを示した断面図である。
【図１０】空気抜き弁を示した断面図である。
【図１１】気液分離装置の一例を示した断面図である。
【図１２】気液分離装置の他例を示した断面図である。
【図１３】水処理装置を洗浄循環する状態を示す模式図である。
【図１４】従来の養液循環システムの一例を示した模式図である。
【図１５】従来の養液循環システムの他例を示した模式図である。
【発明を実施するための形態】
【００２８】
以下に、本発明における養液栽培システムと、例えばこのシステムに用いる除菌浄化用水処理装置の実施形態を図面に基づいて詳しく説明する。図１においては、本発明における養液栽培システムの第１実施形態の模式図を示している。養液栽培システム本体（以下、システム本体という）２０は、栄養分を溶かした液肥である培養液２１を入れる養液タンク２２とイチゴやネギ等の図示しない植物が植えられた栽培ベッド２３との間を循環させるものである。このシステム本体２０において、養液タンク２２と栽培ベッド２３とは、供給ライン２４と戻りライン２５とにより接続されて循環ライン２６が構成され、この循環ライン２６の養液タンク２２と栽培ベッド２３との間には、廃液タンク２７と除菌浄化用の水処理装置３０とが接続されている。また、システム本体２０には、これら以外にも、循環ポンプ３１、ｐＨ調整器３２、ＥＣ調整器３３、補給水ライン３４、養液混合機３５が接続されている。
【００２９】
システム本体２０における供給ライン２４は、養液タンク２２から栽培ベッド２３に培養液２１を供給するためのラインであり、その流路が途中で分岐されて養液投入口２４ａが設けられ、この養液投入口２４ａから栽培ベッド２３に培養液２１を供給できるようになっている。一方、戻りライン２５は、栽培ベッド２３から養液タンク２２に培養液２１を戻すためのラインであり、栽培ベッド２３の出口側から１本の流路に集束された状態で養液タンク２２に接続される。
【００３０】
廃液タンク２７は、供給ライン２４と戻りライン２５との間に接続される。この廃液タンク２７は、栽培ベッド２３よりも下流側でより低い位置で、かつ、養液タンク２２よりも上流側でより高い位置で、高低差のある状態に設けられる。廃液タンク２７には、栽培ベッド２３を流れたあとの培養液２１が蓄積される。更に、廃液タンク２７には水処理装置３０が接続され、この水処理装置３０は、栽培ベッド２３を流れた培養液２１のみを除菌浄化した後に養液タンク２２に流すようになっている。
【００３１】
図において、水処理装置３０は、養液供給管３６と養液戻り管３７とにより廃液タンク２７に接続され、培養液２１は、廃液タンク２７から養液供給管３６を介して水処理装置３０内に供給され、この水処理装置３０で除菌浄化された後に養液戻り管３７を介して廃液タンク２７に戻される。
【００３２】
水処理装置３０は、図２に示すように、オゾン供給部４０と、紫外線照射部４１と、光触媒作用部４２とを有しており、後述するように、オゾン供給部４０は培養液２１にオゾンを供給し、紫外線照射部４１は培養液２１に紫外線を照射し、光触媒作用部４２は培養液２１に光触媒を作用させるようになっている。本実施形態においては、オゾン供給部４０はオゾナイザー４３内に設けられ、紫外線照射部４１と光触媒作用部４２とは紫外線・光触媒ユニット４４内にそれぞれ設けられている。このオゾナイザー４３と紫外線・光触媒ユニット４４とは別ユニットとして形成され、オゾナイザー４３の下流側に紫外線・光触媒ユニット４４が接続されて水処理装置３０が構成されている。
【００３３】
図３において、オゾン供給部４０（オゾナイザー４３）は、中央部に円筒の金属棒５０を有し、この金属棒５０の外周側に、約０．３〜１．５ｍｍ程度の隙間５１を介して略円筒状の誘電体（絶縁体）５２が配設されている。誘電体５２は、例えば、ガラス、セラミック、ＰＴＦＥ（ポリテトラフルオロエチレン)等の材料からなり、この誘電体５２の入口側、出口側には、それぞれ供給口５３、吐出口５４が形成されている。また、誘電体５２の外周側には、処理水を流すように配置している。
【００３４】
同図において、金属棒５０を高圧の電気に帯電させ、処理水をアース電極５５とすることで、金属棒５０と誘電体５２の空間（隙間）５１に無声放電を発生させ、この空間５１にエアや高濃度酸素を送ることでオゾナイザー４３を構成している。
【００３５】
図２に示すように、オゾン供給部４０は、収納容器５６に収納され、この収納容器５６には、乾燥空気の入口である空気入口ポート５７と、オゾンガスの出口であるガス出口ポート５８と、高圧の養液の入口である養液入口ポート５９と、高圧の養液の出口である養液出口ポート６０とが形成されている。このうち、空気入口ポート５７は供給口５３と、ガス出口ポート５８は吐出口５４と連通し、空気入口ポート５７は、オゾン供給部４０の内部を介してガス出口ポート５８と連通している。一方、養液入口ポート５９と養液出口ポート６０は、収納容器５６とオゾナイザー４３との空間を介して連通している。この構成により、オゾナイザー４３は、空気又は空気よりも酸素濃度の高い気体を原料としてオゾンを生成し、このオゾンを溶存酸素と共に養液に気泡状態で混合させる後述のエジェクタ７１に接続されている。
【００３６】
また、上述のオゾナイザー４３を２個或は３個程度並列状態に配置することによって、濃度を同じとし、オゾン発生用のエアまたは高濃度酸素の流量を増やすことが可能となり、一方、オゾナイザー４３を直列状態に配置することによって、オゾン濃度を上げることができる。
【００３７】
図４において、紫外線・光触媒ユニット４４は、中央部に紫外線光源６１を有し、この紫外線光源６１の外周側に保護用の保護筒６２が設けられている。紫外線光源６１は、紫外線を照射可能に設けられ、後述する光触媒６３から正孔および電子を効率良く生じさせるために、例えば、波長が４１０ｎｍ以下の紫外線を多く含む特性となっている。紫外線光源６１としては、例えば、紫外線ランプや低圧又は高圧水銀ランプが用いられ、また、２５０〜４００ｎｍの波長を有する蛍光ランプや、紫外光を照射するＬＥＤが複数個並べられたものであってもよい。紫外線光源がＬＥＤランプのときには、この光源本体の寿命を延ばすことと小型化が可能になり、更には、発熱量も抑えられて効率の良い浄化が可能になる。更に、図示しないが、紫外線光源の形状は、直線（ストレート）形、円筒（サークル）形、螺旋形、波形などであればよく、何れかの形状を選択することで光触媒６３を効率的に機能させることが可能になる。
【００３８】
紫外線光源６１の外周の保護筒６２は、例えば、石英ガラスやホウ珪酸ガラス、高珪酸ガラスなどから形成される。このうち、特に、ホウ珪酸ガラス、高珪酸ガラスは、比較的安価であり、材料をそのまま使用することができるが、紫外線透過率、耐熱性、強度等の点を考慮した場合、石英ガラスを材料とすることが最も好ましい。保護筒６２の外周側には所定の内径を有する外筒６４が設けられ、この外筒６４と保護筒６２との間に培養液２１の流路６５が形成されている。この流路６５内には、光触媒６３が配設されている。
【００３９】
光触媒６３は、例えば、二酸化チタンからなっており、図示しない網やチタン線、繊維状チタン材料の集合体、その他多孔性チタン材料等からなるチタン又はチタン合金などの材料の表面側に形成されている。この材料は、細状に形成することで反応面積が大きくなり、オゾンとの反応性が良くなる。材料は、チタンやチタン合金以外であってもよく、例えば、ガラスやセラミック等を材料とし、この材料の表面に光触媒を形成するようにしてもよい。
【００４０】
本実施形態においては、紫外線・光触媒ユニット４４の中央部に紫外線光源６１を配置した構造としているため、ユニット全体のコンパクト化が図られ、かつ、培養液２１に対して紫外線光源６１からの照射を効率的に実施できる。図示しないが、紫外線・光触媒ユニットは、保護筒の外側に紫外線光源、内側に光触媒をそれぞれ設けた構造としてもよい。この場合、培養液２１は保護筒の内部を流れることになる。
【００４１】
図２に示すように、紫外線・光触媒ユニット４４には、入口側接続口６６、出口側接続口６７が設けられ、この接続口６６、６７には、前述した養液供給管３６、養液戻り管３７がそれぞれ接続されている。更に、養液供給管３６にはバイパス流路６８が設けられ、このバイパス流路６８は、二次側が養液入口ポート５９に接続されている。バイパス流路６８の途中には加圧ポンプ６９が設けられ、この加圧ポンプ６９によりバイパス流路６８からオゾナイザー４３に養液供給管３６を流れる培養液の一部が供給される。
【００４２】
また、養液供給管３６のバイパス流路６８よりも二次側には戻り流路７０が設けられている。この戻り流路７０により、養液供給管３６と養液出口ポート６０とが接続されている。更に、戻り流路７０の途中にはエジェクタ７１が設けられ、このエジェクタ７１は、逆止弁７２を介してガス供給路７３によってガス出口ポート５８と繋がっている。
【００４３】
逆止弁７２は、適宜の態様で設けられ、オゾナイザー４３から供給されるオゾンや酸素の逆流を防ぐために設けられている。また、エジェクタ７１は、例えば、セラミックや金属又は樹脂等を材料としてリング状に形成され、戻り流路７０から流れる養液と、ガス供給路７３から流れるオゾン（及び酸素又は空気）とを混合させることにより微細気泡状の混合液（オゾン水）をつくるようになっている。このとき、逆止弁７２を通過したオゾンと酸素又は空気は、エジェクタ７１内部の図示しない溢路により流速が早められて養液供給管３６に供給され、気泡状態で養液中に溶け込むようになる。
【００４４】
一方、図１において、システム本体２０における循環ポンプ３１は、養液タンク２２内の培養液２１を汲み上げて栽培ベッド２３に供給するものであり、汲み上げられた培養液２１は、栽培ベッド２３を流れた後に下流側の廃液タンク２７に流れ、更に、廃液タンク２７の下流側の養液タンク２２に流れるように戻りライン２５が構成される。
【００４５】
ｐＨ調整器（ｐＨセンサ）３２は、養液タンク２２中のｐＨを調整するために設置され、一般に使用されているものを利用できる。本実施形態では、このｐＨ調整器３２により、養液タンク２２の培養液２１のｐＨを、例えば、ｐＨ６〜６．５程度に調整する。また、ＥＣ調整器３３は、養液タンク２２中のＥＣ（電気伝導度）を調整するために設置され、ｐＨ調整器３２と同様に、一般に使用されているものを利用できる。このＥＣ調整器３３により培養液２１中のＥＣを調整する場合、例えば、イチゴではＥＣ＝０．５、トマトではＥＣ＝１．０程度の適宜の値に調整すればよい。
【００４６】
図７は、本発明にｐＨセンサ（ｐＨ調整器）を組み合わせた例を示している。同図において、液体のｐＨを測定するためのｐＨセンサ７５であって、このｐＨセンサ７５により測定した液体ｐＨに基づいてオゾン供給部４０、紫外線照射部４１、光触媒作用部４２のうちの何れか１つ又は複数を作動させて液体のｐＨを予め設定した設定値に近づけるようにしている。
【００４７】
ｐＨセンサ７５は、水処理装置３０に制御信号７６を送受信し、この制御信号７６は、液体が酸性のときにこの液体がアルカリ性に近づくまでオゾン供給部４０を停止させて紫外線照射部４１と光触媒作用部４２とを動作させる信号と、液体がアルカリ性のときにこの液体が酸性に近づくまで紫外線照射部４１と光触媒作用部４２とを停止させてオゾン供給部４０を動作させる信号とを有している。
【００４８】
ｐＨ調整器７５における調整方法は、上記の例以外に、オゾン供給部４０、紫外線照射部４１、光触媒作用部４２をそれぞれ間欠運転させたり、また、オゾン量や紫外線量を適宜に微調整することによってｐＨをコントロールしても良い。
【００４９】
補給水ライン３４は、養液タンク２２に水を補給するために設けられ、栽培ベッド２３への供給により培養液２１が減少したときに、この補給水ライン３４を介して適宜量の水が補給される。これにより、不足した培養液２１の量を補うことができ、植物に対して常に培養液２１を供給することが可能になる。
【００５０】
養液混合機３５は、供給ポンプ３８と図示しない定量注入器を介して養液タンク２２に接続され、この養液混合機内３５には培養液２１の成分となる原液として、例えば、液状の肥料７４が蓄積されている。養液タンク２２内の培養液２１が減少し、補給水ライン３４から水が補給されるときには、ｐＨ調整器３２とＥＣ調整器３３とによりｐＨとＥＣが測定され、このｐＨとＥＣとが適正値になるように定量注入器により予め設定された割合の原液７４が養液混合機３５から適宜注入される。
【００５１】
水処理装置３０に図示しないタイマーを内蔵し、このタイマーにより運転をオンオフし、又は間欠運転し、或はオゾン濃度を変化させて水処理装置３０からのオゾンの供給量を制御してもよい。この場合、適量のオゾンを供給することができ、過剰なオゾンの供給による培養液２１の酸性化を防いで配管系統の腐食や植物の生育不良を防止できる。
また、廃液タンクと養液タンクとの間に図示しない送り用のポンプを設けるようにしてもよい。この場合、廃液タンク２７と養液タンク２２との間に高低差を設けることなく廃液タンク２７内の培養液２１を養液タンク２２に送ることができる。
【００５２】
次に、上記実施形態の作用を説明する。第１図において、第１実施形態を説明する。システム本体２０を作動させると、養液タンク２２内の培養液２１が循環ポンプ３１により加圧されて供給ライン２４に圧送され、養液投入口２４ａから栽培ベッド２３に供給される。この培養液２１の供給により、栽培ベッド２３の植物の育成が促進される。続いて、培養液２１は、栽培ベッド２３と廃液タンク２７との間の高低差により、戻りライン２５を通じて下流側の廃液タンク２７に自由落下するように流れる。
【００５３】
図１及び図２において、廃液タンク２７に蓄積した培養液２１は、水処理装置３０により除菌浄化される。この場合、水処理装置３０内に培養液２１が流れると、この培養液２１は、養液供給管３６を流れて入口側接続口６６から紫外線・光触媒ユニット４４内に供給される。このとき、培養液２１の一部は、バイパス流路６８を介して養液入口ポート５９よりオゾナイザー４３内に流入される。
【００５４】
オゾナイザー４３には、オゾン供給部４０において図示しない高圧電源から電圧が印加されて金属棒５０が高圧に帯電された状態で空気入口ポート５７より空気、又は、空気よりも酸素濃度の高い気体が原料として供給されて隙間５１を流れる。このとき、金属棒５０と誘電体５２とアース電極５５とによって隙間５１が放電空間となってこの隙間５１内にオゾンが生成される。このオゾンは、吐出口５４を介してガス出口ポート５８から吐出され、エジェクタ７１の働きによって酸素或は空気とともに戻り流路７０から養液供給管３６を流れる養液中に混入される。
【００５５】
続いて、培養液２１は、バイパス流路６８に流れない培養液とともに紫外線・光触媒ユニット４４内に流入する。培養液２１は、紫外線光源６１と光触媒６３とを通過するときに、紫外線照射部４１からの紫外線と光触媒作用部４２の光触媒作用とによって除菌浄化される。この場合、光触媒６３は紫外線の照射により光触媒作用機能が向上し、この光触媒による光触媒作用は、オゾンよりも強い除菌能力と有機物の分解能力とを有している。
【００５６】
このときの光触媒６３による除菌浄化作用の原理を説明する。二酸化チタン等からなる光触媒６３に波長４００ｎｍ以下の紫外光が照射されると、価電子帯に正孔が発生するとともに伝導帯に電子が生じる。この正孔の酸化電位は、オゾン、過酸化水素等の酸化電位よりも高いため、有機物は光触媒作用により完全に酸化分解され、最終的には二酸化炭素と水に完全分解される。光触媒６３は、紫外光が照射された際に生じる正孔またはこの正孔と水が反応して生じる極めて反応活性に富むヒドロオキシルラジカル（ＯＨラジカル）により酸化反応が起こる。このとき、紫外光が照射された際に生じる正孔と同時に発生する電子と酸素ガス等との還元反応が平行して進行する。
【００５７】
光触媒６３は、このような強力な酸化反応によって従来のオゾンや過酸化水素、塩素等の除菌剤よりも強い除菌能力を発揮でき、また、有機物の分解能力も備えている。更に、光照射により生じた正孔やＯＨラジカルの寿命はミリ秒以下と短いので、オゾンや過酸化水素等の酸化剤のように処理後に残留することがなく、残留酸化剤を処理する装置が不要であるという利点がある。以上のことから、光触媒６３により培養液２１に残存するオゾンでは浄化の難しい混入物を効果的に除菌浄化できる。また、オゾンに紫外線を照射すると、ＯＨラジカルが生成されるため、より高い促進酸化効果が得られる。
【００５８】
次いで、水処理装置３０により除菌浄化された培養液２１は、図１において、廃液タンク２７と養液タンク２２との間の高低差により、廃液タンク２７から下流側の養液タンク２２に自由落下するように流れて養液タンク２２内に蓄積される。そして、培養液２１は、除菌浄化された後に補給水ライン３４から水、養液混合機３５から原液７４が加えられ、培養液２１のｐＨとＥＣの数値がｐＨ調整器３２とＥＣ調整器３３とにより調整され、培養液として適切な状態に調整される。
【００５９】
本発明の養液栽培システムは、養液タンク２２と栽培ベッド２３との間に水処理装置３０を設け、この水処理装置３０で栽培ベッド２３を流れた培養液２１のみを養液タンク２２の上流側で除菌浄化しているので、栽培ベッド２３から病原菌を含んだ培養液２１が養液タンク２２内に混ざることがなく、養液タンク２２内の培養液２１の成分変化を防ぐことができる。また、養液タンク２２内の培養液２１の鉄分やＭｎ成分が酸化して沈殿することが少なく、この培養液２１に鉄分やＭｎ成分を補給する必要が少なくて済む。
【００６０】
しかも、廃液タンク２７内に培養液２１を蓄積し、廃液タンク２７内で培養液２１を除菌浄化した後に養液タンク２２に流しているので、養液タンク２２内の培養液２１を循環ライン２６に常時循環させることができる。
【００６１】
水処理装置３０は、オゾン供給機能と紫外線照射機能と光触媒作用機能とにより複合的に栽培ベッド２３を流れた培養液２１を除菌浄化できるため、これらの相乗効果により高効率の除菌浄化を実施できる。例えば、水処理装置３０は、オゾンの発生量を少なく抑えることができ、オゾンを常時供給しながら培養液２１を浄化して酸性化を防ぐことができ、これにより、ｐＨ調整も容易になり、植物のオゾン障害も防ぐことができる。更に、配管系統の腐食や植物の育成不良を防止でき、定期的な養分補給を行なうだけで多くの植物の収穫を得ることができる。しかも、微量のオゾンを常時供給できることにより、配管系の内壁の菌類の成長を抑制でき、バイオフィルムの発生も少なくなる。
【００６２】
更に、水処理装置３０は、有機物の処理を常時行うことができるため、栽培ベッド２３の有機物による詰まり、腐食、ぬめり等が防がれ、根の成長が促されることで植物の生育が向上する。例えば、植物がイチゴである場合、このイチゴは根が腐食すると収穫回数が減少するが、このような根腐れが防止されることにより長期に渡る安定した収穫が可能となる。また、有機物の発生が少なくなることで、収穫後における栽培ベッド２３の清掃も容易になる。
【００６３】
図５は、本発明における養液栽培システムの第２実施形態を示している。以下の実施形態は、第１実施形態と同一部分は同一符号によって表し、その説明を省略する。
第２実施形態におけるシステム本体１００は、栽培ベッド２３と養液タンク２２との間に水処理装置３０を直接接続し、この水処理装置３０で除菌浄化した培養液２１を養液タンク２２に流すようにしたものである。この場合には、廃液タンクを設けていない状態で培養液を流しているためシステム本体１００の流路を単純化でき、コンパクト性やコストの点でも有利となる。
【００６４】
図６は、本発明における養液栽培システムの第３実施形態を示している。この実施形態のシステム本体１０１は、水処理装置３０が養液供給管３６と養液戻り管３７とにより廃液タンク２７に接続され、更に、養液戻り管３７から分岐流路１０２を設け、この分岐流路１０２を下流側の養液タンク２２に接続したものである。この構成により、水処理装置３０で除菌浄化された培養液２１は、分岐流路１０２を介して廃液タンク２７に直接供給されるため、廃液タンク２７内に蓄積された培養液２１全体を除菌浄化してから養液タンク２２に供給する必要がなく、システム本体１０１の動作を開始して直後に除菌浄化した培養液２１を養液タンク２２に供給できる。
【００６５】
図８は、図２に示した水処理装置の他例を示したもので、同一部分は同一符号で示し、その説明を省略する。図８において、エジェクタ７１の液体導入口７８から高圧（０．１ＭＰａ〜１ＭＰａ程度）の液体を送り込むと、通路７９を高速で流れる。このとき、図９におけるエジェクタ７１のスリット８０から気体導入口８１からの気体を巻き込み、通路８２で混合され、気液混合された液体が出口８３より出ていく。従来、エジェクタやベンチュリー管等は、１８０度の流路で気液が混合されるため、配管された状態では容易に流量変更ができなかった。本発明の構造では、その流路を９０度曲げることでノズル部８４の交換を容易にし、配管状態でも流量の変更や清掃ができるようにしたので、ノズル部８４を取り外すと、掃除が極めて容易である。
【００６６】
エジェクタ７１は、流路を狭くするため、図９の通路７９に流体中の異物が詰まることがある。この場合でも、ノズル部８４だけを外せるため、容易に内部の清掃ができる構造になっている。
【００６７】
オゾン濃度と電流値は実験で利用したオゾナイザーでは、１．１Ａまでは、ほぼ比例関係になり、電流値を変更するだけで、オゾン濃度を調整することができる。また、電流値と抵抗値も比例関係にあるため、可変抵抗器（ボリューム等）で電流値を変更することにより、オゾン濃度を容易に変更することができる。
【００６８】
図８に示す電極棒タイプで、適度な電圧を用いると広範囲の内圧でも安定したオゾン発生量を確保できる。これに対して、２重のガラス管や電源電圧の合致しない電源を用いると、内圧による変化を大きく受ける。
【００６９】
図８の本発明のオゾナイザーにおいて、放電空間の高圧電極棒と絶縁体（ガラス管）の隙間は、０．２〜1ｍｍ程度、高圧電源としては、８Ｋｖ〜１５Ｋｖ程度を用いて行うことで、広範囲の内圧で濃度の高いオゾンが得られる。
【００７０】
図１０に示す空気抜き弁付きエアセパレータ８５は、空気抜き穴８６が形成され、この部分は、気液混合になるため、カルシウムやシリカ等の成分が詰まりやすい。この部分に掃除棒８７を利用して、つまりの予防を行う装置を設けている。これにより、詰まりが無くなり、長期間空気抜きとしての機能を有する装置になった。したがって、空気抜き弁付きエアセパレータ８５は、掃除棒８７で詰まり予防できるので、栽培液同様にカルシウム、シリカ或は塩分を含む温泉の浄化にも好適である。なお、図中８９は、バネ８８を装着したボタンである。
【００７１】
図１０に示す空気抜き弁付きエアセパレータ８５は、気液混合水が偏芯した導入口９０より浸入し、回転することで外側に液体が、内側に気体が集まる。集まった気体は、空気抜き弁９１への穴を解して、外部に放出される。分離された水は、液体出口９２より、出て行く。このとき、連通口９４を有する邪魔板９３があると、より明確に気体と液体を分離することができる。この構造を採用することにより、非常にコンパクトに気体と液体を分離することができる。
【００７２】
図１１に示す気液分離装置９９において、気体混合流体（気体主体の流体）が入り口９５より入ることで、液体分が下にたまり、気体は気体出口９６より排出される。ある程度液体が溜まると、浮き９７が浮き上がり液体出口９８より液体が排出される。
【００７３】
上述のように、図８において、エジェクタ４３により気液混合された液体は、排オゾンガスを取り除かれたオゾン水が供給管９２ａを介して反応槽４４へ供給される。このとき、空気抜き弁付きエアセパレータ８５により分離された水は、液体出口９２より反応槽４４へ供給され、一方、気液分離装置９９により、気体と液体が排出され、気液分離装置９９よりオゾン処理槽１０５に入り、オゾン処理された空気が外気へ排出される。
【００７４】
図１２は、気液分離器１０２の別の形態を示したものである。気液混合気体入り口１０３から水滴を含んだガスが進入し、水滴が液体最上面１０８まで溜まると排水口１１０から排水し、気体は、気体出口１０４から排出される。この特徴は、気液分離では、通常ゴム栓付きの浮きでシールするが、この場合、穴を大きくすると気体も液体も下の穴から出ることがある。また、穴径を大きくできないので、気液混合気体入り口から、多くの液体が進入すると、排水が追いつかず、気体出口から液体が流出することがあった。液体最上面を超えた液体は、内パイプの内径で排出できるため、入り口から大量の液体が進入しても排水量が多いため、気体出口から液体が出ることはなくなる。外パイプ１０６、中間パイプ１１１、内パイプ１０７を市販の塩ビ管などで形成できるため、製品コストが抑えられる。気体出口１０４が詰まった場合、内部に溜まった液体が押されて排水口１１０から出終わると、排水口１１０から気体が出てしまう。このような場合は、パイプの長さを長くするだけで、気体出口１０４の詰まりに対する抵抗を増やすことができる。ゴム栓によるシールを行わないので、耐久性が高い。
【００７５】
図１３は、循環しながらクエン酸洗浄を行う配管例を示している。一般的な養液（肥料）には、窒素、リン酸、カリウム等３大栄養素以外に、鉄分、マンガン等の微量元素も含有されている。この鉄分やマンガン成分がオゾンや紫外線ランプの影響で、酸化鉄、酸化マンガンとして、析出してしまう。これが、ガラス管や光触媒に付着し、促進酸化効果が少なくなってしまう。この様な現象は、温泉や鉱泉でも成分により発生することがある。この場合、配管から外して掃除をしたりするのが不便であり、実用性に欠ける。この様なときにクエン酸洗浄を行う。従来、クエン酸洗浄は漬け置き洗いで対応していたが、これだと時間が１時間前後必要となる。これらの問題点に対し、循環しながらクエン酸洗浄を行うと、短時間で、しかも低濃度のクエン酸で洗浄できることが分かった。
【００７６】
図１３において、クエン酸洗浄する場合は、まず、バルブ１１２を開き、呼び水投入口１１３に水を満たし、再びバルブ１１２を閉止する。この水にクエン酸を数ｇ投入する。次に装置を停止し、循環を止める。循環停止の確認後、バルブ１１４，１１５を閉じる。次にバルブ１１２，１１６を開き、装置を運転する。この運転状態で、約１０分運転し、停止する。その後、呼び水投入口１１３に入っているチューブ１１７を排水口に落とし、クエン酸液を排水する。
【実施例】
【００７７】
本発明における、水処理装置を用いると、一般生菌を減らすことで、野菜や果実が長持ちする。ネギの株内に生息する一般生菌及び大腸菌群、Ｅ．Ｃｏｌｉについて本発明装置の有り無しで比較測定を行った。この結果、標準平板培養法により、一般生菌は、結果（１）として、比較例は１，１００／ｇと１２，０００／ｇであり、結果（２）として、３００以下／ｇと２，７００／ｇである。一般生菌は、本発明装置有りの方が少なくなった。一般生菌が少なくなると、野菜や果実などは長持ちすることは従来から知られており、本発明装置を利用することで一般生菌が少なくなることが実証された。【００７８】
【表１】
2011043326.tif 000003
【００７９】
表１は、ねぎの生長比較資料であるが、水処理装置（除菌浄化装置）の有りと無しで長さ、太さが異なる。いずれも、有りの方が大きくなっており、生長促進効果が認められる。
この理由は、
（１）オゾンを水に溶け込ませるときに酸素も同時に溶けるため、溶液中の酸素濃度が増加する。植物はこの酸素があると根が活性化され、栄養分の吸収力が上がる。
（２）植物は養液中の無機物（窒素、リン酸、カリウム等）を吸収する。一般にこの無機物は、有機物の中にも存在する。この有機物を浄化することで無機物を取り出すことでより多くの無機物を吸収できる。
（３）生長阻害要因である、菌やバクテリア等を除菌するため、病気にかかりにくい環境ができる。
（４）オゾンは多量にあると生長阻害要因になるが、本提案の除菌浄化装置は、促進酸化により、不要なオゾンを分解するため、余分なオゾン処理が不要又は小型にできる。よって、除菌浄化を迅速に、かつ、連続で利用できるため、生長促進効果がある。【００８０】
本発明における除菌浄化用水処理装置は、養液栽培システムに応用されるばかりでなく、例えば、温泉、浴場、プールその他の水処理装置として広く適用でき得る。
【符号の説明】
【００８１】
２０  システム本体
２１  培養液
２２  養液タンク
２３  栽培ベッド
２７  廃液タンク
３０  水処理装置
４３  オゾナイザー
４４  反応槽
１０２  分岐流路
【図１】
2011043326.tif 000004
【図２】
2011043326.tif 000005
【図３】
2011043326.tif 000006
【図４】
2011043326.tif 000007
【図５】
2011043326.tif 000008
【図６】
2011043326.tif 000009
【図７】
2011043326.tif 000010
【図８】
2011043326.tif 000011
【図９】
2011043326.tif 000012
【図１０】
2011043326.tif 000013
【図１１】
2011043326.tif 000014
【図１２】
2011043326.tif 000015
【図１３】
2011043326.tif 000016
【図１４】
2011043326.tif 000017
【図１５】
2011043326.tif 000018
【国際調査報告】
2011043326.tif 000019
2011043326.tif 000020
2011043326.tif 000021
2011043326.tif 000022
2011043326.tif 000023
2011043326.tif 000024
2011043326.tif 000025
2011043326.tif 000026
2011043326.tif 000027